(57)【特許請求の範囲】
【請求項１】
漫画データを漫画データ表示装置のディスプレイ部に表示する漫画データ表示方法において、
制御部が、第１ユーザが逆方向にスクロールを行って経過した時間を考慮し、前記第１ユーザの漫画読書パターンを少なくとも一つ分析し、前記第１ユーザの漫画読書情報を獲得する段階と、
前記ディスプレイ部が第１漫画データの一部領域を表示する段階と、
ユーザ入力部が、前記第１ユーザから、前記第１漫画データを自動的にスクロールせよという命令を入力される段階と、
前記制御部が、前記漫画読書情報に対応する自動スクロール速度を決定する段階と、
前記決定された自動スクロール速度でもって、前記第１漫画データが自動的にスクロールされるように、前記制御部が、前記命令に従って、前記ディスプレイ部を制御する段階と、を含む漫画データ表示方法。
【請求項２】
漫画データを漫画データ表示装置のディスプレイ部に表示する漫画データ表示方法において、
前記ディスプレイ部が第１漫画データの一部領域を表示する段階と、
ユーザ入力部が、第１ユーザから、前記第１漫画データを自動的にスクロールせよという命令を入力される段階と、
制御部が、前記第１ユーザの漫画読書情報に対応する自動スクロール速度を決定する段階であって、前記第１ユーザの漫画読書情報は、前記第１ユーザの前記第１漫画データに係わる過去の読書中断の有無を含み、前記第１ユーザが前記第１漫画データを読書していて、第１位置で読書を中断した経験がある場合の第１位置までの自動スクロール速度を、前記第１漫画データを初めて読む場合の第１位置までの自動スクロール速度より速く決定する、段階と、
前記決定された自動スクロール速度でもって、前記第１漫画データが自動的にスクロールされるように、前記制御部が、前記命令に従って、前記ディスプレイ部を制御する段階と、を含む漫画データ表示方法。
【請求項３】
漫画データを漫画データ表示装置のディスプレイ部に表示する漫画データ表示方法において、
前記ディスプレイ部が第１漫画データの一部領域を表示する段階と、
ユーザ入力部が、第１ユーザから、前記第１漫画データを自動的にスクロールせよという命令を入力される段階と、
制御部が、前記第１漫画データの作家が設定したデータ及び前記第１ユーザの漫画読書情報に対応する自動スクロール速度を決定する段階であって、前記第１漫画データの作家が設定したデータは、前記第１漫画データの領域別に、前記作家が設定した重要度、及び前記第１漫画データの領域別に、前記作家が設定したアニメーション効果のうち少なくとも一つを含む、段階と、
前記決定された自動スクロール速度でもって、前記第１漫画データが自動的にスクロールされるように、前記制御部が、前記命令に従って、前記ディスプレイ部を制御する段階と、を含む漫画データ表示方法。
【請求項４】
漫画データを漫画データ表示装置のディスプレイ部に表示する漫画データ表示方法において、
前記ディスプレイ部が第１漫画データの一部領域を表示する段階と、
ユーザ入力部が、第１ユーザから、前記第１漫画データを自動的にスクロールせよという命令を入力される段階と、
通信部が外部装置から、第２ユーザの漫画読書情報を受信する段階と、
制御部が、前記第１ユーザまたは第２ユーザの漫画読書情報に対応する自動スクロール速度を決定する段階と、
前記決定された自動スクロール速度でもって、前記第１漫画データが自動的にスクロールされるように、前記制御部が、前記命令に従って、前記ディスプレイ部を制御する段階と、を含む漫画データ表示方法。
【請求項５】
前記第１ユーザの漫画読書情報は、前記第１ユーザの漫画読書速度を含み、
前記決定する段階は、前記第１ユーザの漫画読書速度に比例するように、前記自動スクロール速度を決定することを特徴とする請求項１乃至４のいずれか一項に記載の漫画データ表示方法。
【請求項６】
前記第１ユーザの漫画読書速度は、前記第１ユーザの平均的な漫画読書速度、前記第１ユーザの前記第１漫画データと同一ジャンルの漫画読書速度、前記第１ユーザの前記第１漫画データと同一シリーズの漫画読書速度、あるいは前記第１漫画データの作家が制作した他の漫画データに係わる前記第１ユーザの漫画読書速度のうち一つであることを特徴とする請求項５に記載の漫画データ表示方法。
【請求項７】
前記第１ユーザの漫画読書情報は、前記第１ユーザの前記第１漫画データに係わる過去の読書の有無、
前記決定する段階は、前記第１ユーザが前記第１漫画データを読んだ経験がある場合の自動スクロール速度を、前記第１漫画データを初めて読む場合の自動スクロール速度より速く決定することを特徴とする請求項１乃至４のいずれか一項に記載の漫画データ表示方法。
【請求項８】
前記第１ユーザの漫画読書情報は、前記第１ユーザが直接入力した入力情報を含むことを特徴とする請求項１乃至４のいずれか一項に記載の漫画データ表示方法。
【請求項９】
前記入力情報は、前記第１ユーザの漫画読書速度、前記第１ユーザの文章読み速度、前記第１ユーザの年齢、前記第１ユーザが好きなジャンル、あるいは前記第１ユーザが好きな場面のうち少なくとも一つを含むことを特徴とする請求項８に記載の漫画データ表示方法。
【請求項１０】
前記決定する段階は、前記第１漫画データの領域別特徴、及び前記第１ユーザの漫画読書情報に対応する自動スクロール速度を決定し、
前記第１漫画データの領域別特徴は、各領域に含まれたカットの個数、カットの内容、テキストの個数、エフェクトの個数、エフェクトの種類、登場物体の個数、登場物体の種類、あるいは広告コンテンツを含むか否かということのうち少なくとも一つを含むことを特徴とする請求項１、２、４のいずれか一項に記載の漫画データ表示方法。
【請求項１１】
前記アニメーション効果は、各領域に含まれたカットの個数、カットの内容、テキストの個数、エフェクトの個数、エフェクトの種類、登場物体の個数、登場物体の種類、あるいは広告コンテンツを含むか否かということのうち少なくとも一つを含むことを特徴とする請求項３に記載の漫画データ表示方法。
【請求項１２】
前記制御する段階は、単位時間ごとに、前記自動スクロール速度に比例する移動距離ほど、前記第１漫画データがスクロールされるように、前記ディスプレイ部を制御することを特徴とする請求項１乃至４のいずれか一項に記載の漫画データ表示方法。
【請求項１３】
前記単位時間は、待機時間及びスクロール時間を含み、
前記制御する段階は、
前記待機時間の間、前記第１漫画データの固定された領域が表示されるように、前記ディスプレイ部を前記制御部が制御する段階と、
前記スクロール時間の間、前記第１漫画データが自動的にスクロールされるように、前記ディスプレイ部を前記制御部が制御する段階と、を含むことを特徴とする請求項１２に記載の漫画データ表示方法。
【請求項１４】
前記決定する段階は、前記第１漫画データの第１領域に対する自動スクロール速度を、第１自動スクロール速度として決定し、前記第１漫画データの第２領域に対する自動スクロール速度を、第２自動スクロール速度として決定し、
前記制御する段階は、前記第１漫画データの前記第１領域は、前記第１自動スクロール速度でもってスクロールされるように、前記ディスプレイ部を制御し、前記第１漫画データの前記第２領域は、前記第２自動スクロール速度でもってスクロールされるように、前記ディスプレイ部を制御することを特徴とする請求項１乃至４のいずれか一項に記載の漫画データ表示方法。
【請求項１５】
前記制御する段階以後、
前記第１漫画データと同一シリーズであり、前記第１漫画データと内容が連結される第２漫画データが前記ディスプレイ部に表示されるように、前記制御部が、前記ディスプレイ部を制御する段階をさらに含むことを特徴とする請求項１乃至４のいずれか一項に記載の漫画データ表示方法。
【請求項１６】
コンピュータを利用し、請求項１ないし４のうちいずれか１項に記載の方法を実行させるコンピュータプログラム。
【請求項１７】
請求項１ないし４のうちいずれか１項に記載の方法をコンピュータで実行させるプログラムを記憶した記録媒体。
【請求項１８】
第１漫画データを表示するディスプレイ部と、
第１ユーザから前記第１漫画データを自動的にスクロールせよという命令を入力されるユーザ入力部と、
前記第１ユーザが逆方向にスクロールを行って経過した時間を考慮し、前記第１ユーザの漫画読書パターンを少なくとも一つ分析し、前記第１ユーザの漫画読書情報を獲得し、前記漫画読書情報に対応する自動スクロール速度を決定し、前記決定された自動スクロール速度でもって、前記第１漫画データが前記ディスプレイ部上で自動的にスクロールされるように、前記ディスプレイ部を制御する制御部と、を含む漫画データ表示装置。
【請求項１９】
第１漫画データを表示するディスプレイ部と、
第１ユーザから前記第１漫画データを自動的にスクロールせよという命令を入力されるユーザ入力部と、
前記第１ユーザの漫画読書情報に対応する自動スクロール速度を決定し、前記決定された自動スクロール速度でもって、前記第１漫画データが前記ディスプレイ部上で自動的にスクロールされるように、前記ディスプレイ部を制御する制御部であって、前記第１ユーザの漫画読書情報は、前記第１ユーザの前記第１漫画データに係わる過去の読書中断の有無を含み、前記第１ユーザが前記第１漫画データを読書していて、第１位置で読書を中断した経験がある場合の第１位置までの自動スクロール速度を、前記第１漫画データを初めて読む場合の第１位置までの自動スクロール速度より速く決定する、制御部と、を含む漫画データ表示装置。
【請求項２０】
第１漫画データを表示するディスプレイ部と、
第１ユーザから前記第１漫画データを自動的にスクロールせよという命令を入力されるユーザ入力部と、
前記第１漫画データの作家が設定したデータ及び前記第１ユーザの漫画読書情報に対応する自動スクロール速度を決定し、前記決定された自動スクロール速度でもって、前記第１漫画データが前記ディスプレイ部上で自動的にスクロールされるように、前記ディスプレイ部を制御する制御部であって、前記第１漫画データの作家が設定したデータは、前記第１漫画データの領域別に、前記作家が設定した重要度、及び前記第１漫画データの領域別に、前記作家が設定したアニメーション効果のうち少なくとも一つを含む、制御部と、を含む漫画データ表示装置。
【請求項２１】
第１漫画データを表示するディスプレイ部と、
第１ユーザから前記第１漫画データを自動的にスクロールせよという命令を入力されるユーザ入力部と、
外部装置から、第２ユーザの漫画読書情報を受信する通信部と、
前記第１ユーザまたは第２ユーザの漫画読書情報に対応する自動スクロール速度を決定し、前記決定された自動スクロール速度でもって、前記第１漫画データが前記ディスプレイ部上で自動的にスクロールされるように、前記ディスプレイ部を制御する制御部と、を含む漫画データ表示装置。
【請求項２２】
前記第１ユーザの漫画読書情報は、前記第１ユーザの漫画読書速度を含み、
前記第１ユーザの漫画読書速度は、前記第１ユーザの平均的な漫画読書速度、前記第１ユーザの前記第１漫画データと同一ジャンルの漫画読書速度、前記第１ユーザの前記第１漫画データと同一シリーズの漫画読書速度、あるいは前記第１漫画データの作家が制作した他の漫画データに係わる前記第１ユーザの漫画読書速度のうち一つであり、
前記制御部は、前記第１ユーザの漫画読書速度に比例するように、前記自動スクロール速度を決定することを特徴とする請求項１８乃至２１のいずれか１項に記載の漫画データ表示装置。
【請求項２３】
前記第１ユーザの漫画読書情報は、前記第１ユーザの前記第１漫画データに係わる過去の読書の有無、
前記制御部は、前記第１ユーザが前記第１漫画データを読んだ経験がある場合の自動スクロール速度を、前記第１漫画データを初めて読む場合の自動スクロール速度より速く決定することを特徴とする請求項１８乃至２１のいずれか１項に記載の漫画データ表示装置。
【請求項２４】
前記第１ユーザの漫画読書情報は、前記第１ユーザが直接入力した入力情報を含み、
前記入力情報は、前記第１ユーザの漫画読書速度、前記第１ユーザの文章読み速度、前記第１ユーザの年齢、前記第１ユーザが好きなジャンル、あるいは前記第１ユーザが好きな場面のうち少なくとも一つを含むことを特徴とする請求項１８乃至２１のいずれか１項に記載の漫画データ表示装置。
【請求項２５】
前記制御部は、前記第１漫画データの領域別特徴、及び前記第１ユーザの漫画読書情報に対応する前記自動スクロール速度を決定し、
前記第１漫画データの領域別特徴は、各領域に含まれたカットの個数、カットの内容、テキストの個数、エフェクトの個数、エフェクトの種類、登場物体の個数、登場物体の種類、広告コンテンツを含むか否かということのうち少なくとも一つを含むことを特徴とする請求項１８、１９、２１のいずれか１項に記載の漫画データ表示装置。
【請求項２６】
前記アニメーション効果は、各領域に含まれたカットの個数、カットの内容、テキストの個数、エフェクトの個数、エフェクトの種類、登場物体の個数、登場物体の種類、広告コンテンツを含むか否かということのうち少なくとも一つを含むことを特徴とする請求項２０に記載の漫画データ表示装置。
【請求項２７】
前記制御部は、単位時間ごとに、前記自動スクロール速度に比例する移動距離ほど、前記第１漫画データがスクロールされるように、前記ディスプレイ部を制御することを特徴とする請求項１８乃至２１のいずれか１項に記載の漫画データ表示装置。
【請求項２８】
前記単位時間は、待機時間及びスクロール時間を含み、
前記制御部は、前記待機時間の間、前記第１漫画データの固定された領域が表示されるように、前記ディスプレイ部を制御し、前記スクロール時間の間、前記第１漫画データが自動的にスクロールされるように、前記ディスプレイ部を制御することを特徴とする請求項２７に記載の漫画データ表示装置。
【請求項２９】
前記制御部は、前記第１漫画データの第１領域に対する自動スクロール速度は、第１自動スクロール速度として決定し、前記第１漫画データの第２領域に対する自動スクロール速度は、第２自動スクロール速度として決定し、前記第１漫画データの前記第１領域は、前記第１自動スクロール速度でもってスクロールされるように、前記ディスプレイ部を制御し、前記第１漫画データの前記第２領域は、前記第２自動スクロール速度でもってスクロールされるように、前記ディスプレイ部を制御することを特徴とする請求項１８乃至２１のいずれか１項に記載の漫画データ表示装置。
【請求項３０】
前記制御部は、第１漫画データと同一シリーズであり、前記第１漫画データと内容が連結される第２漫画データが前記ディスプレイ部に表示されるように、前記ディスプレイ部を制御することを特徴とする請求項１８乃至２１のいずれか１項に記載の漫画データ表示装置。
【発明の詳細な説明】
【技術分野】
【０００１】
本発明は、漫画データ表示方法及び漫画データ表示装置に関する。
【背景技術】
【０００２】
漫画は、ユーモア、諧謔、風刺などを介して、対象の性格を誇張したり省略したりして、人生や社会を風刺、批判したり、独自の興味を際立たせたりする絵であり、その内容により、純情、武侠、アクション、コミック、スポーツ、ＳＦ（science  fiction）などの多様なジャンルに区分される。漫画は、映像及びテキストという視覚的体系を使用し、複雑な内容を可視的に描くことにより、単に文字だけからなる一般書籍に比べ、読者の関心を引き寄せるのにさらに効果的である。
【０００３】
一方、最近、通信技術の発展により、漫画は、伝統的な漫画本から脱し、インターネットなどを介してサービスされている。
【０００４】
前述の背景技術は、発明者が本発明導出のために保有していたり、本発明の導出過程で習得した技術情報であり、必ずしも本発明の出願前に一般公衆に公開された公知技術とすることはできない。
【発明の概要】
【発明が解決しようとする課題】
【０００５】
自動スクロール命令に対応し、漫画データを自動的にスクロールする必要がある。ユーザの漫画読書情報によって自動スクロール速度を決定し、決定された自動スクロール速度でもって漫画データをスクロールする必要がある。ユーザの漫画読書速度、ユーザの漫画データに係わる過去の読書の有無、あるいはユーザが直接入力した情報によって自動スクロール速度を決定し、単位時間当たり決定された自動スクロール速度に比例する移動距離ほど漫画データをスクロールする必要がある。
【課題を解決するための手段】
【０００６】
本発明の一実施形態は、漫画データを漫画データ表示装置のディスプレイ部に表示する漫画データ表示方法において、前記ディスプレイ部が第１漫画データの一部領域を表示する段階、ユーザ入力部が、第１ユーザから、前記第１漫画データを自動的にスクロールせよという命令を入力される段階、制御部が、前記第１ユーザの漫画読書情報に対応する自動スクロール速度を決定する段階、及び前記決定された自動スクロール速度でもって、前記第１漫画データが自動的にスクロールされるように、前記制御部が、前記命令に従って、前記ディスプレイ部を制御する段階を含む、漫画データ表示方法を開示する。
【０００７】
本発明の他の実施形態は、漫画データを漫画データ表示装置のディスプレイ部に表示する漫画データ表示方法において、前記ディスプレイ部が第１漫画データの一部領域を表示する段階、ユーザ入力部が、第１ユーザから、前記第１漫画データをスクロールせよという命令を入力される段階、前記命令によって、前記第１漫画データがスクロールされている最中、制御部が、第１特定領域が、前記ディスプレイ部に表示される瞬間を感知する段階、及び前記第１特定領域から第２特定領域まで、前記第１漫画データが自動的にスクロールされるように、前記制御部が、前記ディスプレイ部を制御する段階を含む、漫画データ表示方法を開示する。
【０００８】
本発明のさらに他の実施形態は、第１漫画データを表示するディスプレイ部、第１ユーザから前記第１漫画データを自動的にスクロールせよという命令を入力されるユーザ入力部、及び前記第１ユーザの漫画読書情報に対応する自動スクロール速度を決定し、前記決定された自動スクロール速度でもって、前記第１漫画データが前記ディスプレイ部上で自動的にスクロールされるように、前記ディスプレイ部を制御する制御部を含む、漫画データ表示装置を開示する。
【０００９】
前述のところ以外の他の側面、特徴、利点が、以下の図面、特許請求の範囲、及び発明の詳細な説明から明確になるであろう。
【発明の効果】
【００１０】
かような本発明によって、ユーザの自動スクロール命令に対応し、漫画データを自動的にスクロールすることができる漫画データ表示方法及び漫画データ表示装置を提供することができる。
【００１１】
また、ユーザの漫画読書情報によって自動スクロール速度を決定し、決定された自動スクロール速度でもって漫画データをスクロールすることができる漫画データ表示方法及び漫画データ表示装置を提供することができる。
【００１２】
また、ユーザの漫画読書速度、ユーザの漫画データに係わる過去の読書の有無、あるいはユーザが直接入力した情報によって自動スクロール速度を決定し、単位時間当たり決定された自動スクロール速度に比例する移動距離ほど漫画データをスクロールすることができる漫画データ表示方法及び漫画データ表示装置を提供することができる。
【図面の簡単な説明】
【００１３】
【図１】本発明の一実施形態による漫画データ表示システムの構成を概略的に図示した図面である。
【図２】本発明の一実施形態による漫画データ表示装置の内部構成を概略的に図示したブロック図である。
【図３】本発明の一実施形態による漫画データ表示方法を概略的に図示したフローチャートである。
【図４Ａ】漫画データの例示的な形態を概略的に図示した図面である。
【図４Ｂ】漫画データが表示装置上に表示される例示的な形態を概略的に図示した図面である。
【図５】本発明の一実施形態による漫画データ表示装置上で、漫画データが表示される例示的な過程を概略的に図示した図面である。
【図６Ａ】本発明の一実施形態による漫画データ表示装置上で、漫画データが表示される例示的な過程を概略的に図示した図面である。
【図６Ｂ】本発明の一実施形態による漫画データ表示装置上で、漫画データが表示される例示的な過程を概略的に図示した図面である。
【図６Ｃ】本発明の一実施形態による漫画データ表示装置上で、漫画データが表示される例示的な過程を概略的に図示した図面である。
【図７】本発明の一実施形態による漫画データ表示装置上で、漫画データが表示される例示的な過程を概略的に図示した図面である。
【図８】本発明の一実施形態による漫画データ表示装置上で、漫画データが表示される例示的な過程を概略的に図示した図面である。
【発明を実施するための形態】
【００１４】
本発明は、多様な変換を加えることができ、さまざまな実施形態を有することができるが、特定実施形態を図面に例示し、詳細な説明によって詳細に説明する。本発明の効果、特徴、及びそれらを達成する方法は、図面と共に詳細に説明する実施形態を参照すれば、明確になるであろう。しかし、本発明は、以下で開示される実施形態に限定されるものではなく、多様な形態に具現されるのである。以下の実施形態において、第１、第２のような用語は、限定的な意味ではなく、１つの構成要素を他の構成要素と区別する目的に使用された。また、単数の表現は、文脈上明白に異なって意味しない限り、複数の表現を含む。また、「含む」または「有する」というような用語は、明細書上に記載された特徴あるいは構成要素が存在するということを意味するものであり、１以上の他の特徴または構成要素が付加される可能性をあらかじめ排除するものではない。また、図面としては、説明の便宜のために、構成要素がその大きさが誇張されていたり縮小されていたりする。例えば、図面に示された各構成の大きさ及び厚みは、説明の便宜のために任意に示されており、本発明は、必ずしも図示されたところに限定されるものではない。
【００１５】
以下、添付された図面を参照し、本発明の実施形態について詳細に説明するが、図面を参照して説明するとき、同一であるか、あるいは対応する構成要素は、同一図面符号を付し、それに係わる重複説明は省略する。
【００１６】
図１は、本発明の一実施形態による漫画データ表示システムの構成を概略的に図示した図面である。図１を参照すれば、本発明の一実施形態による漫画データ表示システム１０は、漫画データ表示装置１００を含んでもよい。また、漫画データ表示システム１０は、サーバ２００を含んでもよい。また、漫画データ表示システム１０は、漫画データ表示装置１００及びサーバ２００を相互連結する通信網３００を含んでもよい。
【００１７】
漫画データ表示装置１００は、漫画データを表示することができる装置でもある。漫画データ表示装置１００は、有線及び／又は無線通信環境で他の装置とデータを送受信することができる通信端末機を意味する。漫画データ表示装置１００は、内部メモリまたは外部メモリに存在する漫画データを、漫画データ表示装置１００のディスプレイ部に表示することができる多様な装置を意味する。通信網３００に連結されている漫画データ表示装置１００は、複数でもある。図１において、漫画データ表示装置１００が、スマートフォン形態の第１漫画データ表示装置１００ｂ、及びデスクトップ形態の第２漫画データ表示装置１００ａとして図示されているが、本発明は、それらに限定されるものではない。
【００１８】
具体的には、漫画データ表示装置１００は、スマートフォン、ＰＣ（personal  computer）、タブレットＰＣ、スマートＴＶ（television）、携帯電話、ＰＤＡ（personal  digital  assistant）、ラップトップ、メディアプレイヤ、マイクロサーバ、ＧＰＳ（global  position  system）装置、電子書籍端末機、デジタル放送用端末機、ナビゲーション、キオスク、ＭＰ３プレイヤ、デジタルカメラ、ウェアラブル装置、及びその他のモバイルまたは非モバイルのコンピュータ装置でもあるが、本発明は、それらに限定されるのではない。
【００１９】
また、漫画データ表示装置１００は、電子黒板、タッチテーブルのように、タッチ入力を受信することができる多様な装置を含んでもよい。また、漫画データ表示装置１００は、通信機能またはデータプロセッシング機能を具備した時計、めがね、ヘアバンド及び指輪などのアクセサリでもあるが、本発明は、それらに限定されるものではない。
【００２０】
本明細書において、漫画データは、文字（alphabet）、絵あるいは写真など視覚的に認知され、相手に視覚的な形態で情報を伝達することができる客体、または当該客体の集合からなる映像データを意味する。該漫画データは、漫画作家によって作成されたデータでもあり、１回に提供される分量の複数の視覚的客体を含んでもよい。１つの漫画データは、１以上のカットを含んでもよい。ここで、該カットは、１つの漫画の１場面を含むデータであり、イメージまたはテキストを含む複数のレイヤを含んでもよい。漫画データの例示的な形態、及び漫画データが漫画データ表示装置１００上に表示される例示的な形態については、図４Ａ及び図４Ｂを通じて説明する。
【００２１】
サーバ２００は、漫画データを漫画データ表示装置１００に提供するサーバでもある。サーバ２００は、漫画データ表示装置１００に提供される漫画データを保存することができる。図１には、１つのサーバを表示しているが、接続量あるいはデータ量によって、複数個のサーバが存在することができる。
【００２２】
サーバ２００は、漫画データ表示装置１００のユーザと係わる情報を、漫画データ表示装置１００から送信されたり、自ら生成したりすることができる。また、サーバ２００は、漫画データ表示装置１００のユーザと係わる情報を保存している。その場合、サーバ２００は、互いに異なる漫画データ表示装置１００を区分し、ユーザと係わる情報を保存することもでき、互いに異なるアカウントを区分し、ユーザと係わる情報を保存することもできる。例えば、サーバ２００は、第１漫画データ表示装置１００ｂと係わる第１漫画読書情報を保存することができ、第２漫画データ表示装置１００ａと係わる第２漫画読書情報を保存することができる。他の例示として、サーバ２００は、第１アカウントと係わる第３漫画読書情報を保存することができ、第２アカウントと係わる第４漫画読書情報を保存することができる。すなわち、サーバ２００は、漫画データが表示される装置が異なるか否かということを基準に、ユーザと係わる情報を区分することもでき、漫画データの表示を要請したアカウントが異なるか否かということを基準に、ユーザと係わる情報を区分することもできる。
【００２３】
サーバ２００は、漫画データと係わるサービス以外にも、一般的な検索サービス、及びその他ユーザの便宜を増進させる多様なサービスを提供することもできる。すなわち、サーバ２００は、漫画データと係わるサービスに加え、検索、電子メール、ブログ、ソーシャルネットワークサービス（social  network  service）、ニュース、ショッピング情報提供のような多様なサービスを提供することができる。
【００２４】
または、サーバ２００は、検索、電子メール、ニュース、ショッピングのようなポータルサービスを提供するサーバに連結され、ポータルサービスに情報提供を要請する漫画データ表示装置１００に、ポータルサービスが提供するウェブページを提供するサーバでもある。ここで、サーバ２００とポータルサービス提供サーバは、物理的に分離された別途のサーバでもあり、概念的にのみ分離された同一サーバでもある。
【００２５】
通信網３００は、漫画データ表示装置１００及びサーバ２００を連結する役割を行うことができる。すなわち、通信網３００は、漫画データ表示装置１００とサーバ２００との間で、漫画データを含むデータを送受信することができるように、接続経路を提供する通信網を意味する。通信網３００は、例えば、ＬＡＮｓ（local  area  networks）、ＷＡＮｓ（wide  area  networks）、ＭＡＮｓ（metropolitan  area  networks）、ＩＳＤＮｓ（integrated  service  digital  networks）などの有線ネットワーク；無線ＬＡＮｓ、ＣＤＭＡ（code  division  multiple  access）、ブルートゥース（登録商標（Bluetooth））、衛星通信などの無線ネットワークを網羅することができるが、本発明の範囲は、それらに限定されるものではない。
【００２６】
図２は、本発明の一実施形態による漫画データ表示装置の内部構成を概略的に図示したブロック図である。図２を参照すれば、本発明の一実施形態による漫画データ表示システム１０の漫画データ表示装置１００は、ディスプレイ部１２０、ユーザ入力部１３０及び制御部１４０を含んでもよい。また、漫画データ表示装置１００は、通信部１１０を含んでもよい。
【００２７】
通信部１１０は、サーバ２００または外部装置のうち少なくとも一つと、有線及び／又は無線通信を行うことができる。通信部１１０は、ブルートゥース（Bluetooth）通信部、ＢＬＥ（Bluetooth  low  energy）通信部、近距離無線通信部（near  field  communication  unit）、ＷＬＡＮ（wireless  local  area  network）（Ｗｉ−Ｆｉ（wireless  fidelity））通信部、ジグビー（ZigBee）通信部、赤外線（ＩｒＤＡ：infrared  data  association）通信部、ＷＦＤ（Ｗｉ−Ｆｉ  direct）通信部、ＵＷＢ（ultra  wideband）通信部、Ａｎｔ＋通信部などでもあるが、それらに限定されるのではない。
【００２８】
通信部１１０は、通信網３００上で、基地局、サーバ２００あるいは外部装置のうち少なくとも一つと、無線信号を送受信することができる。該無線信号は、漫画データを含む多様な形態のデータを含んでもよい。すなわち、通信部１１０は、サーバ２００から送信される漫画データを受信することができる。また、通信部１１０は、外部装置から、外部装置ユーザの漫画読書情報を受信することができる。また、通信部１１０は、サーバ２００に、ユーザと係わる情報を送信することができ、サーバ２００からユーザと係わる情報を受信することができる。
【００２９】
通信部１１０は、基地局、サーバ２００あるいは外部装置と、有線及び／又は無線連結を介して制御信号またはデータ信号のような信号を送受信するために必要なハードウェア及びソフトウェアを含む装置でもある。
【００３０】
ディスプレイ部１２０は、漫画データ表示装置１００で処理される情報を表示することができる。ディスプレイ部１２０は、漫画データを表示し、漫画データに係わるユーザの入力に対応し、漫画データを移動させることができる。具体的には、漫画データは、漫画データ全体が、ディスプレイ部１２０で１回で表示され難いほど大きいサイズの映像データでもある。従って、ディスプレイ部１２０は、一瞬間に漫画データの一部領域のみを表示することができる。また、ディスプレイ部１２０は、漫画データをスクロールし、漫画データの他の一部領域を表示することができる。
【００３１】
本明細書において、漫画データをスクロールする動作は、漫画データの第１領域をディスプレイ部１２０に表示する状態において、第１領域と異なる第２領域をディスプレイ部１２０に表示する状態に変更する動作を意味する。漫画データをスクロールしている最中、第１領域または第２領域に含まれるカット、あるいは第１領域及び第２領域の間に配置されるカットが、一定時間以上、ディスプレイ部１２０に表示される。
【００３２】
ディスプレイ部１２０は、液晶ディスプレイ、薄膜トランジスタ液晶ディスプレイ、有機発光ダイオード、フレキシブルディスプレイ、三次元（３Ｄ）ディスプレイ、電気泳動ディスプレイのうち少なくとも一つを含んでもよいが、本発明の範囲は、それらに限定されるものではない。漫画データ表示装置１００の具現形態によって、漫画データ表示装置１００は、ディスプレイ部１２０を２個以上含んでもよい。
【００３３】
ユーザ入力部１３０は、ユーザが、漫画データ表示装置１００を制御するためのデータを入力する手段を意味する。例えば、ユーザ入力部１３０には、キーパッド、ドームスイッチ、タッチパッド（接触式静電容量方式、圧力式抵抗膜方式、赤外線感知方式、表面超音波伝導方式、積分式張力測定方式、ピエゾ効果方式など）、ジョグホイール、ジョグスイッチ、マウスなどがあるが、それらに限定されるものではない。
【００３４】
ユーザ入力部１３０は、漫画データのためのユーザの入力を受信したり検出したりすることができる。例えば、ユーザ入力部１３０は、漫画データを表示せよという入力を受信したり検出したりすることができる。また、ユーザ入力部１３０は、漫画データの一部領域がディスプレイ部１２０に表示されている状態で、漫画データの他の領域を表示せよという入力を受信したり検出したりすることができる。また、ユーザ入力部１３０は、ユーザから漫画データをスクロールせよという入力を受信したり検出したりすることができる。漫画データをスクロールせよという入力は、漫画データの一部領域が表示されている状態で、漫画データの他の一部領域を表示せよという命令でもある。このとき、入力の種類、または入力が維持される期間によって、漫画データがスクロールされる速度、またはスクロールされる距離が決定される。また、ユーザ入力部１３０は、漫画データの一部領域がディスプレイ部１２０に表示されている状態で、漫画データを自動的にスクロールせよという入力を受信したり検出したりすることができる。
【００３５】
ユーザ入力部１３０は、ユーザのタッチ入力、ユーザのマウスを通じるクリック入力、ユーザのキーボードを通じる入力、あるいはユーザの音声入力を遂行する装置、かような入力を受信する装置、あるいはかような入力を検出する装置でもあるが、本発明の範囲がそれらに限定されるのではない。
【００３６】
ユーザ入力部１３０は、ディスプレイ部１２０とレイヤ構造をなし、１つのタッチスクリーンとして構成される。その場合、ディスプレイ部１２０とユーザ入力部１３０とが１つの物理的な形態をなすことができる。
【００３７】
制御部１４０は、一般的に、漫画データ表示装置１００の全般的な動作を制御することができる。例えば、制御部１４０は、漫画データ表示装置１００に含まれるメモリに保存されたプログラムを実行することにより、通信部１１０、ディスプレイ部１２０及びユーザ入力部１３０などを全般的に制御することができる。このとき、該メモリは、磁気記録媒体またはフラッシュ記録媒体を含んでもよいが、本発明の範囲は、それらに限定されるものではない。制御部１４０は、図１ないし図８での漫画データ表示装置１００の動作を遂行するために、通信部１１０、ディスプレイ部１２０及びユーザ入力部１３０などを全般的に制御することができる。
【００３８】
制御部１４０は、プロセッサのように、データを処理することができる全ての種類の装置を含んでもよい。ここで、「プロセッサ」は、例えば、プログラム内に含まれたコードまたは命令によって表現された機能を遂行するために、物理的に構造化された回路を有する、ハードウェアに内蔵されたデータ処理装置を意味する。このように、ハードウェアに内蔵されたデータ処理装置の一例として、マイクロプロセッサ、中央処理装置（ＣＰＵ：central  processing  unit）、プロセッサコア、マルチプロセッサ、ＡＳＩＣ（application  specific  integrated  circuit）、ＦＰＧＡ（field  programmable  gate  array）などの処理装置を網羅することができるが、本発明の範囲は、それらに限定されるものではない。
【００３９】
制御部１４０は、漫画データがディスプレイ部１２０に表示されるように、ディスプレイ部１２０を制御することができる。制御部１４０は、漫画データの一部領域がディスプレイ部１２０に表示されるように、ディスプレイ部１２０を制御することができる。ユーザから、漫画データを表示せよという命令が入力された場合、制御部１４０は、漫画データの一部領域がディスプレイ部１２０に表示されるように、ディスプレイ部１２０を制御することができる。このとき、制御部１４０は、漫画データの一番最初の領域がディスプレイ部１２０に表示されるように、ディスプレイ部１２０を制御することができる。もしユーザが、当該漫画データの中間領域まで過去読んだ経験がある場合、制御部１４０は、漫画データの当該中間領域がディスプレイ部１２０に表示されるように、ディスプレイ部１２０を制御することができる。
【００４０】
制御部１４０は、ユーザの漫画読書情報に対応する自動スクロール速度を決定することができる。ユーザの漫画読書情報は、ユーザの漫画読書速度、ユーザの当該漫画データに係わる過去の読書の有無、あるいはユーザが直接入力した入力情報を含んでもよい。ユーザの漫画読書情報は、制御部１４０において、ユーザの漫画読書パターンを分析して獲得したものでもあり、サーバ２００、外部メモリあるいは外部装置から受信されたものでもあり、漫画データ表示装置１００に含まれる内部メモリに保存されたものでもある。
【００４１】
制御部１４０は、ユーザの漫画読書パターンを少なくとも一つ分析し、漫画読書情報を獲得することができる。ユーザの漫画読書パターンには、ユーザが漫画を読むのにかかる平均的な時間、ユーザが多く読む漫画ジャンルあるいは漫画シリーズ、ユーザが早くあるいは遅くスクロールするカットの種類、ユーザが漫画データの読書中にスクロールを行った回数、スクロールを行った位置、スクロールを行った方向、逆方向にスクロールを行った回数、逆方向にスクロールを行った位置、逆方向にスクロールを行った時間、ユーザが反復して見た漫画データの種類あるいはジャンル、中間に読むのをやめた漫画データの種類あるいはジャンル、ユーザが漫画データを読んだ後のコメント作成の有無、ユーザの作成したコメントが肯定的な内容であるか、あるいは否定的な内容であるかということ、ユーザが漫画データに残した肯定的フィードバックあるいは否定的フィードバックであるかということ、ユーザが漫画データを視聴する場所、あるいはユーザが漫画データを視聴する時間帯が含まれてもよい。制御部１４０は、ユーザの漫画読書パターンを分析し、当該ユーザの自動スクロール速度を決定するのに必要な漫画読書情報を獲得することができる。
【００４２】
制御部１４０は、漫画読書パターンを分析し、漫画読書情報を獲得する過程において、一部の漫画読書パターンを考慮しないこともある。例えば、制御部１４０は、漫画データの読書中、逆方向にスクロールを行った回数、逆方向にスクロールを行った期間、あるいは逆方向へのスクロールによって追加された読書時間を除き、漫画読書パターンを分析することができる。それを介して、ユーザの漫画読解能自体と係わりなく、消費した時間を除いて漫画読書情報を獲得することができる。他の例示として、ユーザから一定時間以上クリック、タッチあるいはドラッギングなどの入力が受信されない場合、制御部１４０は、入力未受信が始まった瞬間から、再び入力が受信される瞬間までの期間を除き、漫画読書パターンを分析することができる。また、制御部１４０は、漫画データがディスプレイ部１２０に表示されない期間に対して、ユーザが漫画を読むのにかかる時間を除き、漫画読書パターンを分析することができる。それを介して、ユーザが、読書最中、しばらく席をはずしたり他の業務を行ったりすることによって消費した時間を除き、漫画読書情報を獲得することができる。
【００４３】
制御部１４０は、漫画データの各領域別自動スクロール速度を互いに異なるように決定することができる。例えば、制御部１４０は、漫画データの第１領域に対する自動スクロール速度を、第１自動スクロール速度として決定することができ、第２領域に対する自動スクロール速度を、第２自動スクロール速度として決定することができる。その後、制御部１４０は、第１漫画データの第１領域は、第１自動スクロール速度でもってスクロールされるように、ディスプレイ部１２０を制御することができ、第２領域は、第２自動スクロール速度でもってスクロールされるように、ディスプレイ部１２０を制御することができる。それを介して、制御部１４０は、漫画データの各領域別特徴を考慮し、それぞれの領域に適する自動スクロール速度を決定することができる。
【００４４】
制御部１４０は、ユーザの漫画読書速度を考慮し、自動スクロール速度を決定することができる。ユーザの漫画読書速度には、ユーザの平均的な漫画読書速度、自動スクロール速度を決定する漫画データと同一ジャンルの漫画に対する読書速度、自動スクロール速度を決定する漫画データと同一シリーズの漫画に対する読書速度、あるいは自動スクロール速度を決定する漫画データの作家が制作した他の漫画データに係わる読書速度が含まれてもよい。制御部１４０は、ユーザの漫画読書速度に比例するように、自動スクロール速度を決定することができる。それを介して、制御部１４０は、ユーザの読書速度を考慮し、自動スクロール速度を決定することができる。
【００４５】
制御部１４０は、自動スクロール速度を決定する漫画データに対して、ユーザが過去読書を完了した経験があるか否かということを考慮し、自動スクロール速度を決定することができる。制御部１４０は、ユーザが過去当該漫画データをすでに読んだ経験がある場合の自動スクロール速度を、当該漫画データを初めて読む場合の自動スクロール速度より速く決定することができる。それを介して、制御部１４０は、ユーザの読書完了経験を考慮し、自動スクロール速度を決定することができる。
【００４６】
制御部１４０は、自動スクロール速度を決定する漫画データに対して、ユーザが過去読書していて中断した経験があるか否かということを考慮し、自動スクロール速度を決定することができる。制御部１４０は、ユーザが過去当該漫画データを読書していて、第１位置で読書を中断した経験がある場合の第１位置までの自動スクロール速度を、当該漫画データを初めて読む場合の第１位置までの自動スクロール速度より速く決定することができる。その場合、制御部１４０は、第１位置以後の自動スクロール速度を決定するには、過去の読書経験を考慮しないこともある。それを介して、制御部１４０は、ユーザの読書中断経験を考慮し、自動スクロール速度を決定することができる。
【００４７】
制御部１４０は、ユーザが直接入力した情報を考慮し、自動スクロール速度を決定することができる。ユーザが直接入力した情報は、ユーザ自身が考える自分の漫画読書速度、ユーザ自身が考える自分の文章読み速度、ユーザの年齢、ユーザが好きな漫画ジャンル、ユーザがさらに長い間見たがる場面や、さらに短く見たがる場面、ユーザが好きな絵の種類、あるいはユーザの漫画読み習慣を含んでもよい。制御部１４０は、ユーザ自身が考える漫画読書速度や文章読み速度に比例するように、自動スクロール速度を決定することができる。制御部１４０は、自動的にスクロールしようとする漫画データが、ユーザが好きな漫画ジャンルである場合には、ユーザが好きな漫画ジャンルではない場合より自動スクロール速度を相対的に遅く決定することができる。制御部１４０は、自動的にスクロールしようとする漫画データに、ユーザがさらに長い間見たがる種類の場面が出る場合には、ユーザがさらに長い間見たがる種類の場面が分かる場合より、自動スクロール速度を相対的に遅く決定することができる。それを介して、制御部１４０は、ユーザの直接的要請あるいは間接的要請を考慮し、自動スクロール速度を決定することができる。
【００４８】
制御部１４０は、ユーザの年齢、またはユーザの他の特徴を考慮し、自動スクロール速度を決定することができる。例えば、ユーザの年齢が１９歳未満である場合には、漫画データの場面において、１９歳未満に不適であると決定された場面がディスプレイ部１２０に表示されないようにする。他の例示として、ユーザが妊婦または老弱者である場合には、漫画データの場面において、当該ユーザに不適であると決定された場面がディスプレイ部１２０に表示されないようにする。制御部１４０は、ディスプレイ部１２０に表示されないように決定された場面に対して、当該場面に対するスクロール速度を非常に高く設定したり、スクロール最中、当該場面を飛ばしたりするように設定することができる。それを介して、制御部１４０は、ユーザにふさわしくない場面がディスプレイ部１２０に表示されないようにしたり、非常に短い時間の間だけ表示されたりするように、自動スクロール速度を決定することができる。
【００４９】
制御部１４０は、自動スクロール速度を決定する漫画データの領域別特徴を考慮し、自動スクロール速度を決定することができる。制御部１４０は、当該漫画データの各領域に含まれたカットの個数、カットの内容、カットの大きさ、カットに含まれたイメージが複雑である程度、エフェクトの存在の有無、存在するエフェクトの個数、存在するエフェクトの種類、カットに登場する人・物体あるいは背景の種類、カットに登場する人あるいは物体の個数、テキストが含まれているか否かということ、含まれたテキストの字数、含まれたテキストのフォントサイズ、含まれたテキストのフォント種類、あるいは広告コンテンツが含まれているか否かということのうち少なくとも一つを考慮し、自動スクロール速度を決定することができる。例えば、漫画データの特定領域に、広告コンテンツが含まれた場合には、広告コンテンツが含まれていない領域より自動スクロール速度を遅く決定することができる。それを介して、制御部１４０は、それぞれの領域の特徴に合う自動スクロール速度を決定することができる。
【００５０】
制御部１４０は、作家が設定したデータに対応する自動スクロール速度を決定することができる。作家が設定したデータは、漫画データの各領域別に作家が設定した重要度、あるいは漫画データの各領域別に作家が設定したアニメーション効果の再生時間を含んでもよい。作家が設定したデータは、サーバ２００、外部メモリあるいは外部装置から受信されたものでもあり、漫画データ表示装置１００に含まれるメモリに保存されたものでもある。
【００５１】
制御部１４０は、漫画データの各領域別に作家が設定した重要度を考慮し、自動スクロール速度を決定することができる。制御部１４０は、各領域別に作家が設定した重要度に反比例するように、各領域別自動スクロール速度を決定することができる。それを介して、制御部１４０は、作家が重要に考える部分と、そうではない部分とを考慮し、自動スクロール速度を決定することができる。
【００５２】
制御部１４０は、漫画データの各領域別に作家が設定したアニメーション効果の再生時間を考慮し、自動スクロール速度を決定することができる。制御部１４０は、各領域別に作家が設定したアニメーション効果の再生時間に反比例するように、各領域別自動スクロール速度を決定することができる。それを介して、制御部１４０は、ユーザがアニメーション効果を全部確認することができる速度に、自動スクロール速度を決定することができる。
【００５３】
制御部１４０は、外部装置から受信された外部装置ユーザの漫画読書情報を考慮し、自動スクロール速度を決定することができる。すなわち、制御部１４０は、漫画データ表示装置１００のユーザ自動スクロール速度を決定する過程において、外部装置を使用するユーザの漫画読書情報を考慮することができる。
【００５４】
制御部１４０は、ユーザの漫画読書速度、ユーザの過去読書経験、ユーザが直接入力した情報、漫画データの領域別特徴、作家が設定したデータ、あるいは外部装置のユーザ漫画読書速度のうち２以上を共に考慮し、自動スクロール速度を決定することができる。
【００５５】
ユーザから、漫画データを自動的にスクロールせよという命令が入力された場合、制御部１４０は、漫画データの各領域が順次にディスプレイ部１２０に表示されるように、ディスプレイ部１２０を制御することができる。その場合、各領域がディスプレイ部１２０に表示される時間は、自動スクロール速度に比例する。制御部１４０は、単位時間ごとに、自動スクロール速度に比例する移動距離ほど、漫画データがスクロールされるように、ディスプレイ部を制御することができる。
【００５６】
制御部１４０は、１つの漫画データの最後の位置まで自動的にスクロールを完了した場合には、当該漫画データに続く他の漫画データが自動的にディスプレイ部１２０に表示されるように、ディスプレイ部１２０を制御することができる。すなわち、最後の位置までスクロールが完了した漫画データと同一シリーズであり、当該漫画データと内容が連結される漫画データがディスプレイ部１２０に表示されるように、ディスプレイ部１２０を制御することができる。それを介して、制御部１４０は、ユーザが１つのシリーズをなす複数の漫画データを連続的に読むように、ディスプレイ部１２０を制御することができる。
【００５７】
制御部１４０で決定された自動スクロール速度は、通信部１１０を介して、サーバ２００に送信される。このとき、サーバ２００は、互いに異なる装置から受信された自動スクロール速度を、装置によって区分して保存することもでき、互いに異なるアカウントから受信された自動スクロール速度を、アカウントによって区分して保存することもできる。自動スクロール速度を決定する過程は、サーバ２００でも遂行される。すなわち、サーバ２００が、それぞれのユーザ漫画読書速度、それぞれのユーザの過去の漫画読書経験、あるいはそれぞれのユーザが直接入力した入力情報から、それぞれのユーザに対する自動スクロール速度を決定することができる。
【００５８】
制御部１４０は、ユーザから自動スクロール命令が受信されていない場合にも、一定条件が満足されるとき、漫画データが自動的にスクロールされるように、ディスプレイ部１２０を制御することができる。例えば、制御部１４０は、ディスプレイ部１２０に、第１特定領域が表示される瞬間を感知することができる。当該瞬間を感知した場合、制御部１４０は、第１特定領域から第２特定領域まで漫画データが自動的にスクロールされるように、ディスプレイ部１２０を制御することができる。それを介して、制御部１４０は、漫画データの一定部分において、自動スクロールが生じるように、ディスプレイ部１２０を制御することができる。かような機能は、漫画データの作家が所望する効果を、漫画データ表示装置１００に示すために使用される。このとき、自動的にスクロールされる速度は、作家が直接設定した速度によっても決定され、制御部１４０で決定された自動スクロール速度によっても決定される。他の例示として、ディスプレイ部１２０に漫画データが表示された状態で決定された時間の間、ユーザ入力部１３０を介して、入力が受信されない場合、制御部１４０は、漫画データが自動的にスクロールされるように、ディスプレイ部１２０を制御することができる。
【００５９】
漫画データ表示装置１００が、ユーザから、漫画データをスクロールせよという入力を受信する場合、漫画データ表示装置１００は、当該ユーザに対する自動スクロール速度をサーバ２００に要請することができる。その場合、サーバ２００は、当該ユーザに対する自動スクロール速度を、漫画データ表示装置１００に送信することができる。
【００６０】
図３は、本発明の一実施形態による漫画データ表示方法を概略的に図示したフローチャートである。図３に図示されたフローチャートは、図２に図示された漫画データ表示装置１００において、時系列的に処理される段階によって構成される。従って、以下で省略された内容であるとしても、図２で図示された構成について、以上で記述された内容は、図３に図示されたフローチャートにも適用されるということが分かる。
【００６１】
図３を参照すれば、本発明の一実施形態による漫画データ表示方法は、第１漫画データの一部領域を表示する段階（Ｓ１００段階）、第１ユーザから、第１漫画データを自動的にスクロールせよという命令を入力される段階（Ｓ２００段階）、第１ユーザの漫画読書情報に対応する自動スクロール速度を決定する段階（Ｓ３００段階）、及び決定された自動スクロール速度でもって第１漫画データが自動的にスクロールされるように、ディスプレイ部を制御する段階（Ｓ４００段階）を含んでもよい。
【００６２】
決定する段階（Ｓ３００段階）以前、第１ユーザの過去の漫画読書パターンを少なくとも一つ分析し、漫画読書情報を獲得する段階をさらに含んでもよい。決定する段階（Ｓ３００）以前、外部装置から、第２ユーザの漫画読書情報を受信する段階をさらに含んでもよく、決定する段階（Ｓ３００）において、第１ユーザ及び第２ユーザの漫画読書情報に対応する自動スクロール速度を決定することもできる。制御する段階（Ｓ４００段階）以後、第１漫画データと同一シリーズであり、第１漫画データと内容が連結される第２漫画データがディスプレイ部に表示されるように、ディスプレイ部を制御する段階をさらに含んでもよい。
【００６３】
また、本発明の一実施形態による漫画データ表示方法は、第１ユーザの過去漫画読書パターンを少なくとも一つ分析し、漫画読書情報を獲得する段階、第１ユーザから、第１漫画データを自動的にスクロールせよという命令を入力される段階、及び第１漫画データの特徴に対応して獲得された第１ユーザの漫画読書情報に対応する自動スクロール速度を決定する段階を含んでもよい。
【００６４】
図４Ａ及び図４Ｂは、漫画データの例示的な形態、及び漫画データが表示装置上に表示される例示的な形態を概略的に図示した図面である。
【００６５】
図４Ａ及び図４Ｂを参照すれば、漫画データ４００は、複数のカット４０２を含んでもよい。漫画データ表示装置１００のディスプレイ部１２０には、漫画データ４００の一部領域４０４が表示される。
【００６６】
漫画データ４００は、第１方向に、第１長さＬ１の長さを有し、前記第１方向と垂直した第２方向に、第２長さＬ２の長さを有する長方形の映像データでもある。このとき、第２長さＬ２は、第１長さＬ１より顕著に長い。
【００６７】
漫画データ４００は、複数のカット４０２を含んでもよい。複数のカット４０２それぞれは、文字、絵あるいは写真など視覚的に認知され、相手に視覚的な形態で情報を伝達することができる客体、または当該客体の集合でもある。
【００６８】
漫画データ４００の一部領域４０４は、漫画データ表示装置１００のディスプレイ部１２０に表示される。すなわち、漫画データ４００全体が、漫画データ表示装置１００のディスプレイ部１２０に１回に全部表示され難いほど、漫画データ４００は、大きい映像データでもある。また、漫画データ４００が、第２長さＬ２が第１長さＬ１より顕著に長い映像データでもある。従って、漫画データ４００の一部領域４０４だけが、一瞬間漫画データ表示装置１００のディスプレイ部１２０に表示され、漫画データ４００の他の領域は、他の瞬間に漫画データ表示装置１００のディスプレイ部１２０に表示される。
【００６９】
図４Ａは、漫画データの一例示形態を示したものに過ぎず、該漫画データは、長方形ではない他の多角形、あるいは円形状を有する映像データでもあり、該漫画データは、映像データだけではなく、音データも含んでもよいが、本発明は、それらに限定されるものではない。
【００７０】
図５ないし図８は、本発明の一実施形態による、漫画データ表示装置上で、漫画データが表示される例示的な過程を概略的に図示した図面である。
【００７１】
図５ないし図８を参照すれば、漫画データ表示装置１００は、ユーザの多様な入力に対応し、あるいは漫画データ表示装置１００内部のアルゴリズムに対応し、漫画データをディスプレイ部１２０上に表示することができる。
【００７２】
漫画データ表示装置１００は、漫画データの一領域をディスプレイ部１２０上に表示した状態で、漫画データをスクロールせよというユーザの入力を受信することができ、漫画データの他の領域をディスプレイ部１２０に表示することができる。例えば、図５の左側絵に図示されているように、漫画データ表示装置１００は、第１カット４０６がディスプレイ部１２０の下端部に表示された状態で、漫画データの一領域を表示することができる。このとき、漫画データ表示装置１００は、漫画データをスクロールせよというユーザの入力を受信することができる。例えば、図５の左側絵に図示されているように、漫画データ表示装置１００は、ユーザがディスプレイ部１２０をタッチしてドラッギングする動作を検出することができる。ドラッギング動作が検出されることにより、漫画データ表示装置１００は、当該ドラッギング動作に対応する移動距離ほど移動された漫画データを、ディスプレイ部１２０に表示することができる。例えば、図５の右側絵に図示されているように、漫画データ表示装置１００は、第１カット４０６がディスプレイ部１２０の上端部に表示された状態で、漫画データの他の領域を表示することができる。漫画データがスクロールされる程度は、ユーザのドラッギング長に比例する。それを介して、漫画データ表示装置１００は、漫画データをスクロールすることができる。
【００７３】
図５においては、漫画データをスクロールするユーザの入力により、タッチ後のドラッギングが図示されているが、本発明は、それに限定されるものではない。すなわち、漫画データの任意の領域、または特定領域を、タップ、ダブルタップ、ロングタップ、クリック、ダブルクリック、クリック後のドラッギング、任意のキーボードボタン押し、特定キーボードボタン押し、あるいは特定のエアジェスチャを取るユーザの動作など、漫画データ表示装置１００において、漫画データをスクロールせよという命令として認識することができる多種のユーザ入力によって漫画データがスクロールされる。
【００７４】
漫画データ表示装置１００は、漫画データの一領域をディスプレイ部１２０上に表示した状態で、漫画データを自動的にスクロールせよというユーザの入力を受信することができ、漫画データをディスプレイ部１２０で自動的にスクロールすることができる。例えば、図６Ａに図示されているように、漫画データ表示装置１００は、第２カット４１０がディスプレイ部１２０の下端部に表示された状態で、漫画データの一領域を表示することができる。このとき、漫画データ表示装置１００は、漫画データを自動的にスクロールせよというユーザの入力を受信することができる。例えば、図６Ａに図示されているように、漫画データ表示装置１００は、ユーザが自動スクロールを要請するＵＩ（user  interface）４０８に対するタッチを検出することができる。自動スクロールを要請するＵＩ  ４０８に対するタッチを検出すれば、図６Ｂに図示されているように、漫画データ表示装置１００は、第２カット４１０がだんだんと上に上がるように、漫画データを自動的にスクロールすることができる。
【００７５】
漫画データ表示装置１００は、自動スクロール速度に比例する速度で、漫画データを自動的にスクロールすることができる。また、漫画データ表示装置１００は、ユーザの漫画読書速度、ユーザの過去読書経験、ユーザが直接入力した情報、漫画データの領域別特徴、作家が設定したデータ、あるいは外部装置のユーザ漫画読書速度のうち、１以上を考慮することができ、考慮された結果によって、異なる自動スクロール速度を決定することができる。例えば、漫画データ表示装置１００は、第１考慮事項を考慮し、第１自動スクロール速度を決定することもでき、第２考慮事項を考慮し、第１自動スクロール速度より速い第２自動スクロール速度を決定することもできる。その結果、第１自動スクロール速度によって自動スクロールが進められる場合には、図６Ｂに図示されているように、単位時間の間、第２カット４１０が第１距離Ｄ１位移動され、第２自動スクロール速度によって自動スクロールが進められる場合には、図６Ｃに図示されているように、同一単位時間の間、第２カット４１０が第１距離Ｄ１より長い第２距離Ｄ２ほど移動される。それを介して、漫画データ表示装置１００は、互いに異なる自動スクロール速度に対応し、漫画データを自動的にスクロールすることができる。
【００７６】
図６Ａないし図６Ｃでは、漫画データの自動スクロール機能を開始させるユーザの入力で自動スクロールを要請するＵＩ  ４０８に対するタッチが図示されているが、本発明は、それに限定されるものではない。すなわち、漫画データの任意の領域、または特定領域を、ダブルタップ、ロングタップ、タップ後のドラッギング、クリック、ダブルクリック、クリック後のドラッギング、任意のキーボードボタン押し、特定キーボードボタン押し、あるいは特定のエアジェスチャを取るユーザの動作など、漫画データ表示装置１００において、漫画データを自動的にスクロールせよという命令として認識することができる多種のユーザ入力によって、漫画データの自動スクロール機能が開始される。
【００７７】
漫画データ表示装置１００は、単位時間ごとに、自動スクロール速度に比例する移動距離ほど、漫画データを自動的にスクロールすることができる。また、漫画データ表示装置１００は、単位時間を、スクロール時間及び待機時間に区分することができ、区分された時間によって、スクロールの有無を決定することができる。例えば、図７の最初の絵に図示されているように、漫画データ表示装置１００は、第３カット４１２がディスプレイ部１２０の下端部に表示された状態で、漫画データの一領域をディスプレイ部１２０に表示することができる。このとき、漫画データ表示装置１００は、第１スクロール時間の間、漫画データを自動的にスクロールすることができる。例えば、図７の２番目の絵に図示されているように、漫画データ表示装置１００は、第１スクロール時間の間、第３カット４１２がディスプレイ部１２０の上端部に表示される状態まで漫画データを自動的にスクロールすることができる。その後、漫画データ表示装置１００は、待機時間の間、自動スクロール機能をしばらく停止させることができる。例えば、図７の３番目の絵に図示されているように、漫画データ表示装置１００は、待機時間の間、第３カット４１２がディスプレイ部１２０の上端部に表示される状態をそのまま維持することができる。その後、漫画データ表示装置１００は、第２スクロール時間の間、漫画データを自動的にスクロールすることができる。例えば、図７の４番目の絵に図示されているように、漫画データ表示装置１００は、第２スクロール時間の間、第３カット４１２がディスプレイ部１２０から消えるように、漫画データを自動的にスクロールすることができる。それを介して、漫画データ表示装置１００は、漫画データを一定部分スクロールさせた後、一定時間の間、スクロールを停止し、ユーザに、静止状態の漫画データを読むことができる時間を提供することができる。
【００７８】
漫画データ表示装置１００は、第１漫画データの最後の位置まで、自動スクロールを完了した場合には、第１漫画データのようなシリーズであり、内容がつながる第２漫画データを自動的にディスプレイ部１２０に表示することができる。例えば、図８の最初の絵に図示されているように、漫画データ表示装置１００は、特定シリーズの第７話に該当する漫画データをディスプレイ部１２０に表示することができる。その後、漫画データ表示装置１００は、第１漫画データの最後の位置まで自動的にスクロールを行うことができる。例えば、図８の２番目の絵に図示されているように、漫画データ表示装置１００は、特定シリーズの第７話に該当する漫画データの最後の位置までディスプレイ部１２０に自動的にスクロールすることができる。その後、漫画データ表示装置１００は、第１漫画データのようなシリーズであり、内容がつながる第２漫画データを自動的に表示することができる。例えば、図８の３番目の絵に図示されているように、漫画データ表示装置１００は、ディスプレイ部１２０に、特定シリーズの第８話に該当する漫画データの最初位置をディスプレイ部１２０に表示することができる。その後、漫画データ表示装置１００は、当該漫画データに係わる自動スクロールを行うことができる。それを介して、漫画データ表示装置１００は、ユーザが１つのシリーズをなす複数の漫画データを連続的に読むようにすることができる。
【００７９】
図８では、１つの漫画データと同一シリーズであり、内容がつながる漫画データに表示データが変更される場合を図示しているが、本発明は、それに限定されるものではない。すなわち、１つの漫画データの最後の位置まで自動的にスクロールを完了したその後、同一シリーズに属する任意の順序の漫画データを自動的に表示することもでき、１つのシリーズの最後の順序の漫画データの最後の位置まで自動的にスクロールを完了した後、他のシリーズの最初順序の漫画データを自動的に表示することもできる。
【００８０】
以上で説明した本発明による実施形態は、コンピュータ上で多様な構成要素を介して実行されるコンピュータプログラムの形態によって具現され、かようなコンピュータプログラムは、コンピュータで判読可能な媒体にも記録される。そのとき、該媒体は、ハードディスク、フロッピー（登録商標）ディスク及び磁気テープのような磁気媒体；ＣＤ−ＲＯＭ（compact  disc  read  only  memory）及びＤＶＤ（digital  versatile  disc）のような光記録媒体；フロプティカルディスク（floptical  disk）のような磁気・光媒体（magneto-optical  medium）；及びＲＯＭ（read-only  memory）、ＲＡＭ（random  access  memory）、フラッシュメモリのような、プログラム命令語を保存して実行するように特別に構成されたハードウェア装置を含んでもよい。さらに、該媒体は、ネットワーク上で伝送可能な形態によって具現される無形の媒体を含んでもよく、例えば、ソフトウェア形態またはアプリケーション形態によって具現され、ネットワークを介して、伝送及び流通が可能な形態の媒体であってもよい。
【００８１】
一方、前記コンピュータプログラムは、本発明のために特別に設計されて構成されたものでもあり、コンピュータソフトウェア分野の当業者に公知されて使用可能なものでもある。該コンピュータプログラムの例としては、コンパイラによって使われるような機械語コードだけではなく、インタープリタなどを使用して、コンピュータによって実行される高級言語コードが含まれてもよい。
【００８２】
本発明で説明する特定実行は、一実施形態であり、いかなる方法によっても、本発明の範囲を限定するものではない。明細書の簡潔さのために、従来の電子的な構成、制御システム、ソフトウェア、前記システムの他の機能的な側面の記載は省略される。また、図面に図示された構成要素間の線の連結または連結部材は、機能的な連結、及び／または物理的または回路的な連結を例示的に示したものであり、実際の装置では、代替可能であったり、追加されたりする多様な機能的な連結、物理的な連結あるいは回路の連結としても示される。また、「必須な」、「重要に」というような具体的な言及がなければ、本発明の適用のために必ずしも必要な構成要素ではないこともある。
【００８３】
従って、本発明の思想は、前述の実施形態に限って決められるものではなく、特許請求の範囲だけではなく、該特許請求範囲と均等であったり、それらから等価的に変更されたりする全ての範囲は、本発明の思想の範疇に属するものである。
【産業上の利用可能性】
【００８４】
本発明の実施形態は、漫画データ表示方法及び漫画データ表示装置に係り、ユーザの漫画読書速度、ユーザの漫画データに係わる過去の読書の有無、あるいはユーザが直接入力した情報によって、自動スクロール速度を決定し、単位時間当たり決定された自動スクロール速度に比例する移動距離ほど、漫画データをスクロールし、漫画データを表示することにより、漫画データを鑑賞するユーザをして、漫画データの鑑賞に興味を起こさせ、漫画データ鑑賞の便宜性を向上させる漫画データ表示方法及び漫画データ表示装置に利用される。
【図１】
0006469875.tif 000002
【図２】
0006469875.tif 000003
【図３】
0006469875.tif 000004
【図４Ａ】
0006469875.tif 000005
【図４Ｂ】
0006469875.tif 000006
【図５】
0006469875.tif 000007
【図６Ａ】
0006469875.tif 000008
【図６Ｂ】
0006469875.tif 000009
【図６Ｃ】
0006469875.tif 000010
【図７】
0006469875.tif 000011
【図８】
0006469875.tif 000012